(57)【要約】【課題】嵌合作業の円滑化を実現する。【解決手段】レバー２２には、レバー２２が嵌合位置から切換位置に回動する過程で、スライダ３５を嵌合完了位置からロック解除位置へ移動させる第１駆動部２７と、レバー２２が切換位置から初期位置へ回動する過程でスライダ３５をロック解除位置から嵌合開始位置まで押し動かし、且つスライダ３５が嵌合開始位置にある状態でレバー２２を初期位置から切換位置へ回動するのに伴いスライダ３５から離間する第２駆動部２８と、スライダ３５が嵌合開始位置にあり且つレバー２２が切換位置にある状態で、スライダ３５に係止することでレバー２２が嵌合位置側へ回動することを規制する係止部３３とが形成されている。【選択図】図７
2018195400.tif 000002
【特許請求の範囲】
【請求項１】
第１ハウジングと、
前記第１ハウジングに対し嵌合及び離脱が可能な第２ハウジングと、
前記第１ハウジングに取り付けられ、初期位置と嵌合位置との間で回動可能なレバーと、
前記第１ハウジングに取り付けられ、嵌合開始位置と嵌合完了位置との間で平行移動可能なスライダと、
前記スライダに形成され、前記スライダが前記嵌合開始位置にある状態で前記第２ハウジングに形成されたカムフォロアの進入を許容し、前記スライダが前記嵌合開始位置から前記嵌合完了位置へ移動する過程では前記カムフォロアを摺接させることで前記第１ハウジングと前記第２ハウジングを嵌合させるカム溝と、
前記レバーに形成され、前記レバーが前記嵌合位置から前記初期位置より手前の切換位置まで回動する過程で、前記スライダを前記嵌合完了位置から前記嵌合開始位置より手前のロック解除位置へ平行移動させる第１駆動部と、
前記レバーに形成され、前記レバーが前記切換位置から前記初期位置へ回動する過程で前記スライダを前記ロック解除位置から前記嵌合開始位置まで押し動かし、且つ前記スライダが前記嵌合開始位置にある状態で前記レバーを前記初期位置から前記切換位置へ回動するのに伴い前記スライダから離間していく第２駆動部と、
前記レバーに形成され、前記スライダが前記嵌合開始位置にあり且つ前記レバーが前記切換位置にある状態において、前記スライダに係止することで前記レバーが前記嵌合位置側へ回動することを規制する係止部とを備えていることを特徴とするレバー式コネクタ。
【請求項２】
前記カム溝は、前記第１ハウジングと前記第２ハウジングとの嵌合を開始して前記カムフォロアが前記カム溝に進入する過程で、前記カムフォロアの押圧力により前記スライダを前記嵌合開始位置から前記ロック解除位置側へ移動させることが可能な入口側傾斜部を有していることを特徴とする請求項１記載のレバー式コネクタ。
【請求項３】
前記カム溝には、前記レバーが前記切換位置と前記嵌合位置との間で回動する過程で前記カムフォロアを摺接させる倍力用傾斜部が形成され、
前記第１ハウジングと前記第２ハウジングの嵌合・離脱方向に対する傾斜角度は、前記入口側傾斜部よりも前記倍力用傾斜部の方が大きく設定されていることを特徴とする請求項２記載のレバー式コネクタ。
【請求項４】
前記スライダには、前記レバーが前記嵌合位置から前記切換位置へ回動する過程で前記第１駆動部に押される離脱用受圧面と、前記レバーが前記切換位置から前記嵌合位置へ回動する過程で前記第１駆動部に押される嵌合用受圧面とが形成され、
前記離脱用受圧面と前記嵌合用受圧面との間では、前記第１駆動部が前記スライダの移動方向と平行に変位することが可能となっていることを特徴とする請求項１ないし請求項３のいずれか１項に記載のレバー式コネクタ。
【請求項５】
前記レバーに形成され、前記嵌合開始位置にある前記スライダが前記嵌合完了位置とは反対側へ移動することを規制する過度変位規制部を備えていることを特徴とする請求項１ないし請求項４のいずれか１項に記載のレバー式コネクタ。
【請求項６】
前記第２駆動部と前記レバーの回動中心である回動軸との距離は、前記第１駆動部と前記回動軸との距離より長く設定されていることを特徴とする請求項１ないし請求項５のいずれか１項に記載のレバー式コネクタ。
【請求項７】
前記レバーの回動中心である回動軸と前記第２駆動部とを結んだ線を仮想揺動線と規定し、前記回動軸を通り且つ前記スライダの移動方向と平行な線を仮想基準線と規定した上で、
前記第２駆動部が前記スライダを前記ロック解除位置から前記嵌合開始位置へ押し動かす過程では、前記仮想基準線に対する前記仮想揺動線の傾斜角度が４５°より大きいことを特徴とする請求項１ないし請求項６のいずれか１項に記載のレバー式コネクタ。
【請求項８】
前記レバーに形成され、前記レバーの回動方向に対し斜めをなして鈍角状に連なる２つの緩斜面によって構成された係止凹部と、
前記第１ハウジングに形成され、前記レバーが前記初期位置にある状態で前記係止凹部の底部に係止する係止突起とを備えていることを特徴とする請求項１ないし請求項７のいずれか１項に記載のレバー式コネクタ。
【発明の詳細な説明】
【技術分野】
【０００１】
本発明は、レバー式コネクタに関するものである。
【背景技術】
【０００２】
特許文献１には、ハウジングに、初期位置と嵌合位置との間で回動可能なレバーと、嵌合開始位置と嵌合完了位置との間で平行移動可能なスライダとを設けたレバー式コネクタが開示されている。レバーの駆動部とスライダの従動部との嵌合により、レバーが初期位置から嵌合位置へ回動すると、スライダが嵌合開始位置から嵌合完了位置へ移動する。スライダが嵌合開始位置から嵌合完了位置へスライドする過程では、スライダのカム溝に相手コネクタのカムピンが引き込まれることにより、相手側コネクタがハウジングに嵌合される。
【先行技術文献】
【特許文献】
【０００３】
【特許文献１】特開２００９−２４５６０９号公報
【発明の概要】
【発明が解決しようとする課題】
【０００４】
ハウジングと相手側コネクタの嵌合を開始するときには、レバーが初期位置にありスライダが嵌合開始位置にある状態で、カム溝の入口に相手側コネクタのカムピンを進入させる。このとき、レバーが初期位置から嵌合位置側へ位置ずれすると、駆動部と従動部との嵌合によってスライダも嵌合開始位置から位置ずれすることになるため、カバー部材がカム溝に進入することができなくなり、嵌合作業に支障を来すことになる。
【０００５】
本発明は上記のような事情に基づいて完成されたものであって、嵌合作業の円滑化を実現することを目的とする。
【課題を解決するための手段】
【０００６】
本発明のレバー式コネクタは、
第１ハウジングと、
前記第１ハウジングに対し嵌合及び離脱が可能な第２ハウジングと、
前記第１ハウジングに取り付けられ、初期位置と嵌合位置との間で回動可能なレバーと、
前記第１ハウジングに取り付けられ、嵌合開始位置と嵌合完了位置との間で平行移動可能なスライダと、
前記スライダに形成され、前記スライダが前記嵌合開始位置にある状態で前記第２ハウジングに形成されたカムフォロアの進入を許容し、前記スライダが前記嵌合開始位置から前記嵌合完了位置へ移動する過程では前記カムフォロアを摺接させることで前記第１ハウジングと前記第２ハウジングを嵌合させるカム溝と、
前記レバーに形成され、前記レバーが前記嵌合位置から前記初期位置より手前の切換位置まで回動する過程で、前記スライダを前記嵌合完了位置から前記嵌合開始位置より手前のロック解除位置へ平行移動させる第１駆動部と、
前記レバーに形成され、前記レバーが前記切換位置から前記初期位置へ回動する過程で前記スライダを前記ロック解除位置から前記嵌合開始位置まで押し動かし、且つ前記スライダが前記嵌合開始位置にある状態で前記レバーを前記初期位置から前記切換位置へ回動するのに伴い前記スライダから離間していく第２駆動部と、
前記レバーに形成され、前記スライダが前記嵌合開始位置にあり且つ前記レバーが前記切換位置にある状態において、前記スライダに係止することで前記レバーが前記嵌合位置側へ回動することを規制する係止部とを備えているところに特徴を有する。
【発明の効果】
【０００７】
嵌合状態の第１ハウジングと第２ハウジングを離脱する際には、レバーを嵌合位置から初期位置へ回動させる。この間、レバーが切換位置に達するまでは、第１駆動部がスライダを嵌合完了位置からロック解除位置まで移動させ、スライダがロック解除位置に到達した後は、レバーの回動にともなって第２駆動部がスライダを嵌合開始位置まで移動させる。この後、初期位置のレバーを切換位置まで戻すと、第２駆動部がスライダから離間していくので、スライダは嵌合開始位置に留まる。レバーが切換位置に戻ると、係止部がスライダに係止するので、レバーは嵌合位置側への回動を規制される。レバーの回動が規制されると、スライダは移動せずに嵌合開始位置に留まったままとなるので、カム溝は第２ハウジングのカムフォロアの進入を許容する位置で待機する。したがって、本願発明によれば、嵌合作業を円滑に行うことができる。
【図面の簡単な説明】
【０００８】
【図１】本実施例１のレバー式コネクタを構成する第１コネクタの斜視図
【図２】第１ハウジングと第２ハウジングを嵌合した状態の平面図
【図３】図２のＡ−Ａ線断面図
【図４】第１ハウジングと第２ハウジングの嵌合状態をあらわす図３のＢ−Ｂ線相当断面図
【図５】第１ハウジングと第２ハウジングを嵌合した状態からレバーを切換位置まで回動した状態をあらわす図３のＢ−Ｂ線相当断面図
【図６】切換位置のレバーを初期位置へ回動した状態をあらわす図３のＢ−Ｂ線相当断面図
【図７】スライダが嵌合開始位置にある状態でレバーを初期位置から切換位置へ回動した状態をあらわす図３のＢ−Ｂ線相当断面図
【図８】離脱状態の第１ハウジングと第２ハウジングを浅く嵌合することでスライダが嵌合開始位置からロック解除位置へ移動した状態をあらわす図３のＢ−Ｂ線相当断面図
【図９】第１ハウジングと第２ハウジングを嵌合した状態からレバーを初期位置へ回動した状態の平面図
【図１０】第１ハウジングと第２ハウジングを嵌合した状態の側断面図
【図１１】図９のＣ−Ｃ線断面図
【図１２】スライダの斜視図
【図１３】スライダの底面図
【図１４】レバーの斜視図
【図１５】レバーの左側面図
【図１６】図１５のＤ−Ｄ線断面図
【図１７】電線カバーの平面図
【図１８】電線カバーの背面図
【発明を実施するための形態】
【０００９】
本発明は、前記カム溝は、前記第１ハウジングと前記第２ハウジングとの嵌合を開始して前記カムフォロアが前記カム溝に進入する過程で、前記カムフォロアの押圧力により前記スライダを前記嵌合開始位置から前記ロック解除位置側へ移動させることが可能な入口側傾斜部を有していてもよい。この構成によれば、カム溝にカムフォロアを進入させるだけで、スライダがロック解除位置へ移動してレバーが回動可能な状態となる。したがって、カム溝にカムフォロアを進入させる前にスライダをロック解除位置へ戻す作業が不要である。
【００１０】
本発明は、前記カム溝には、前記レバーが前記切換位置と前記嵌合位置との間で回動する過程で前記カムフォロアを摺接させる倍力用傾斜部が形成され、前記第１ハウジングと前記第２ハウジングの嵌合・離脱方向に対する傾斜角度は、前記倍力用傾斜部よりも前記入口側傾斜部の方が小さく設定されていてもよい。倍力用傾斜部はスライダ側からカムフォロア側へ大きな力を付与する領域なので、両ハウジングの嵌合・離脱方向に対する傾斜角度が大きいほど倍力機能が向上する。一方の入口側傾斜部は、カムフォロア側からカム溝側へ押圧力を付与する領域なので、両ハウジングの嵌合・離脱方向に対する傾斜角度が小さいほど、スライダへの押圧力を高めることができる。
【００１１】
本発明は、前記スライダには、前記レバーが前記嵌合位置から前記切換位置へ回動する過程で前記第１駆動部に押される離脱用受圧面と、前記レバーが前記切換位置から前記嵌合位置へ回動する過程で前記第１駆動部に押される嵌合用受圧面とが形成され、前記離脱用受圧面と前記嵌合用受圧面との間では、前記第１駆動部が前記スライダの移動方向と平行に変位することが可能となっていてもよい。この構成によれば、スライダが嵌合開始位置にある状態でレバーが初期位置から切換位置へ回動する過程では、第１駆動部はスライダに駆動力を付与しないので、スライダを嵌合開始位置に留めておくことができる。
【００１２】
本発明は、前記レバーに形成され、前記嵌合開始位置にある前記スライダが前記嵌合完了位置とは反対側へ移動することを規制する過度変位規制部を備えていてもよい。この構成によれば、第１ハウジングと第２ハウジングを離脱する作業の際に、レバーが過度に回動することと、スライダが過度に移動することを防止できる。
【００１３】
本発明は、前記第２駆動部と前記レバーの回動中心である回動軸との距離は、前記第１駆動部と前記回動軸との距離より長く設定されていてもよい。この構成によれば、レバーを切換位置から初期位置へ回動する過程で、その回動角度が小さくても、スライダの移動寸法を大きく確保できる。
【００１４】
本発明は、前記レバーの回動中心である回動軸と前記第２駆動部とを結んだ線を仮想揺動線と規定し、前記回動軸を通り且つ前記スライダの移動方向と平行な線を仮想基準線と規定した上で、前記第２駆動部が前記スライダを前記ロック解除位置から前記嵌合開始位置へ押し動かす過程では、前記仮想基準線に対する前記仮想揺動線の傾斜角度が４５°より大きくてもよい。この構成によれば、この構成によれば、仮想基準線に対する仮想揺動線の傾斜角度が４５°より大きい範囲で第２駆動部が回動したとき、第２駆動部がスライダの移動方向と平行に移動する距離は、第２駆動部がスライダの移動方向と直角に移動する距離より大きくなる。したがって、レバーを切換位置から初期位置へ回動させるときの第２駆動部の回動角度が小さくても、スライダの移動寸法を大きく確保できる。
【００１５】
本発明は、前記レバーに形成され、前記レバーの回動方向に対し斜めをなして鈍角状に連なる２つの緩斜面によって構成された係止凹部と、前記第１ハウジングに形成され、前記レバーが前記初期位置にある状態で前記係止凹部の底部に係止する係止突起とを備えていてもよい。この構成によれば、係止突起と係止凹部との係止により、レバーを初期位置に保持することができる。係止凹部は鈍角状に連なる２つの緩斜面で構成されているので、係止凹部と係止突起との係止はセミロック形態である。したがって、レバーを初期位置から嵌合位置側へ回動させる際の作業性が良い。
【００１６】
＜実施例１＞
以下、本発明を具体化した実施例１を図１〜図１８を参照して説明する。尚、以下の説明において、前後の方向については、図２〜９における下方を前方と定義する。左右の方向については、図２〜９にあらわれる向きを、そのまま左方、右方と定義する。上下の方向については、図１，１０にあらわれる向きを、そのまま上方、下方と定義する。
【００１７】
本実施例１のレバー式コネクタは、ワイヤーハーネス（図示省略）の端部に取り付けられる第１コネクタ１０と、回路基板（図示省略）の上面に取り付けられる第２コネクタ５０とを備えて構成されている。第１コネクタ１０は、第２コネクタ５０に対しその後方から嵌合されるようになっている。つまり、第１コネクタ１０と第２コネクタ５０は前後方向に相対変位することで嵌合・離脱する。
【００１８】
＜第１コネクタ１０＞
第１コネクタ１０は、合成樹脂製の第１ハウジング１１と、第１ハウジング１１に取り付けた複数の雌形の第１端子金具２０（図１０参照）と、第１ハウジング１１に回動可能に取り付けた合成樹脂製のレバー２２と、第１ハウジング１１にスライド可能に取り付けた上下対称な一対の合成樹脂製のスライダ３５とを備えて構成されている。
【００１９】
＜第１ハウジング１１＞
図１，２，９，１０に示すように、第１ハウジング１１は、左右方向に長いブロック状をなすハウジング本体１２と、電線カバー１８とを備えて構成されている。ハウジング本体１２は、前方に開口した箱状をなすアウタハウジング１３と、アウタハウジング１３の内部に取り付けたインナハウジング１４とを備えて構成されている。複数の第１端子金具２０はインナハウジング１４の内部に収容されている。第１端子金具２０に接続した電線２１は、ハウジング本体１２の後面から導出されている。
【００２０】
アウタハウジング１３の内周とインナハウジング１４の外周との間には、後方に開放された嵌合空間１５が形成されている。嵌合空間１５には、第２コネクタ５０のフード部５３が嵌入されるようになっている。アウタハウジング１３の上下両壁部には、その内面（嵌合空間１５に臨む面）を凹ませた形態であって、左右方向に延びる上下対称な一対のガイド凹部１６が形成されている。ガイド凹部１６の左右両端はアウタハウジング１３の外面に開口している。
【００２１】
アウタハウジング１３の左端部には、上下対称な一対の軸受部１７（図４参照）が形成されている。一対の軸受部１７は、上下方向においては、一対のガイド凹部１６の間に位置するように配されている。一対の軸受部１７は、前後方向においては、ハウジング本体１２（第１ハウジング１１）の前端部に配されている。軸受部１７はレバー２２を回動可能となるように支持している。
【００２２】
電線カバー１８は、ハウジング本体１２に対しその後面を覆うように取り付けられている。ハウジング本体１２の後面から後方へ導出された複数本の電線２１は、電線カバー１８の内部において左方へ転向するように曲げられている。電線カバー１８の上下両外面には、上下対称な一対の係止突起１９（図１，２，１１，１７，１８を参照）が形成されている。図２に示すように、係止突起１９は、電線カバー１８（第１ハウジング１１）の左端部に配されている。
【００２３】
＜レバー２２＞
レバー２２は、上下対称な一対の板状をなすアーム部２３と、一対のアーム部２３の基端部同士を連結する板状の連結部２４と、一対のアーム部２３の先端部同士を繋ぐ板状の操作部２５とを備えた単一部品である。
【００２４】
連結部２４には、軸線を上下方向に向けた上下対称な一対の回動軸２６が形成されている。レバー２２は、回動軸２６を軸受部１７に嵌合した状態で第１ハウジング１１に取り付けられている。レバー２２は、回動軸２６を支点として嵌合位置（図１，２，４を参照）と初期位置（図６，９を参照）との間で約９６°の範囲に亘って回動し得るようになっている。レバー２２が嵌合位置にある状態では、回動軸２６が連結部２４の前端部に位置する。レバー２２が切換位置及び初期位置にある状態では、回動軸２６は連結部２４の右端部に位置する。
【００２５】
レバー２２が嵌合位置にある状態では、操作部２５が回動軸２６の右方に位置する。レバー２２が初期位置にある状態では、操作部２５が回動軸２６の後方に位置する。嵌合位置と初期位置との間には、切換位置（図５，７，８を参照）が設定されている。この切換位置は、レバー２２を初期位置から約６°の角度だけ嵌合位置側へ回動させた位置である。
【００２６】
両アーム部２３の長さ方向両端部のうち連結部２４に近い側の端部には、上下対称な一対の第１駆動部２７が形成されている。第１駆動部２７は、アーム部２３の内面から軸線を上下方向に向けたエンボス状に突出している。レバー２２が嵌合位置にあるときは、第１駆動部２７が回動軸２６の斜め右後方に位置し、レバー２２が切換位置及び初期位置にあるときは、第１駆動部２７が回動軸２６の斜め左後方に位置する。
【００２７】
レバー２２が嵌合位置との切換位置との間で回動する過程では、第１駆動部２７は、円弧を描きながら、概ね左方（スライダ３５の移動方向に沿う方向）に変位する。レバー２２が切換位置と初期位置との間で回動する過程では、第１駆動部２７は、円弧を描きながら、概ね上下方向（スライダ３５の移動方向と概ね直交する方向）に変位する。
【００２８】
両アーム部２３の長さ方向両端部のうち連結部２４に近い側の端部には、上下対称な一対の第２駆動部２８が形成されている。第２駆動部２８は、アーム部２３の内面から軸線を上下方向に向けたエンボス状に突出している。回動軸２６から第２駆動部２８までの距離は、回動軸２６から第１駆動部２７までの距離よりも長く設定されている。
【００２９】
レバー２２が嵌合位置にあるとき、第２駆動部２８は、回動軸２６の斜め右後方であり、且つ第１駆動部２７の斜め右前方に位置する。レバー２２が切換位置にあるとき、第２駆動部２８は、回動軸２６のほぼ真後ろであり、且つ第１駆動部２７の斜め右後方に位置する。レバー２２が初期位置にあるとき、第２駆動部２８は、回動軸２６の斜め左方向であり、且つ第１駆動部２７の斜め右後方に位置する。
【００３０】
レバー２２が嵌合位置との切換位置との間で回動する過程では、第２駆動部２８は、円弧を描きながら、スライダ３５の移動方向に対して斜め方向に変位する。レバー２２が切換位置と初期位置との間で回動する過程では、第２駆動部２８は、円弧を描きながら、概ね左右方向（スライダ３５の移動方向に沿う方向）に変位する。
【００３１】
上下両アーム部２３の内面には、上下対称な一対の係止凹部２９が形成されている。図１１，１６に示すように、係止凹部２９は、レバー２２の回動方向に対し斜めをなして鈍角状に連なる２つの緩斜面３０によって構成されている。緩斜面３０は、レバー２２の回動方向とほぼ平行に近い角度で傾斜している。レバー２２が初期位置にある状態では、電線カバー１８（第１ハウジング１１）の係止突起１９が、係止凹部２９の底部３１に係止する。
【００３２】
連結部２４には、スライダ３５のうち後述するストッパ４４を含む左端部との干渉を回避するための逃がし溝３２が形成されている。同じく連結部２４には、逃がし溝３２の開口縁部から逃がし溝３２の内側へ突出した形態の係止部３３が形成されている。レバー２２が嵌合位置にある状態では、係止部３３は、連結部２４の後端部に位置する。レバー２２が切換位置及び初期位置にある状態では、係止部３３は、連結部２４の左端部に位置する。
【００３３】
レバー２２には、過度変位規制部３４が形成されている。過度変位規制部３４は、上下両アーム部２３のうち連結部２４側の端部同士を連結する板状に形成されている。過度変位規制部３４は、連結部２４のうち係止部３３側の端縁部に連なっている。レバー２２が切換位置及び初期位置にある状態では、過度変位規制部３４は、スライダ３５の左端縁部に対し左方から対向するように位置する。
【００３４】
＜スライダ３５＞
一対のスライダ３５は上下対称なので、以下、上側に位置するスライダ３５について説明し、下側のスライダ３５の説明は省略する。スライダ３５は、平面視形状が左右方向に長い略長方形の板状をなす。スライダ３５は、板厚方向を上下方向に向けてガイド凹部１６に嵌合された状態で第１ハウジング１１に取り付けられている。スライダ３５は、嵌合開始位置（図６，７を参照）と嵌合完了位置（図４を参照）との間で平行移動し得るようになっている。スライダ３５の移動方向は、第１コネクタ１０（第１ハウジング１１）と第２コネクタ５０（第２ハウジング５１）の嵌合及び離脱方向に対して直交する方向である。
【００３５】
スライダ３５の内面（下面）は、嵌合空間１５内に臨んでいる。スライダ３５の内面には、左右方向に並ぶ３つのカム溝３６が形成されている。カム溝３６の入口は、スライダ３５の前端縁に開口するように配されている。カム溝３６のうち入口及び入口に連なる領域は、入口側傾斜部３７となっている。入口側傾斜部３７は、第１ハウジング１１と第２ハウジング５１の嵌合・離脱方向に対して傾斜しているとともに、スライダ３５の移動方向に対しても傾斜している。
【００３６】
カム溝３６のうち入口側傾斜部３７よりも奥方（後方）の領域は、倍力用傾斜部３８となっている。倍力用傾斜部３８も、入口側傾斜部３７と同様、第１ハウジング１１と第２ハウジング５１の嵌合・離脱方向に対して傾斜しているとともに、スライダ３５の移動方向に対しても傾斜している。但し、第１ハウジング１１と第２ハウジング５１の嵌合・離脱方向（前後方向）に対する傾斜角度は、倍力用傾斜部３８よりも入口側傾斜部３７の方が大きく設定されている。
【００３７】
スライダ３５の左端部には、スライダ３５の上面（レバー２２のアーム部２３と対向する外面）から膨出した形態の従動部３９が形成されている。従動部３９には、平面視形状が後方に開放された略Ｕ字形の従動溝４０が形成されている。従動部３９の右方（スライダ３５が嵌合完了位置側へ移動するときの移動方向前方）に臨む面は、スライダ３５の移動方向と略直交する従動面４１となっている。従動面４１には、第２駆動部２８が当接するようになっている。
【００３８】
従動溝４０の内面のうち右側の面は、嵌合用受圧面４２となっている。従動溝４０の内面のうち左側（スライダ３５が嵌合開始位置側へ移動するときの移動方向前方側）の面は、離脱用受圧面４３となっている。従動溝４０には第１駆動部２７が収容されている。左右方向（スライダ３５の移動方向）における嵌合用受圧面４２と離脱用受圧面４３との間隔は、第１駆動部２７の外径よりも大きい寸法に設定されている。
【００３９】
スライダ３５の左端縁部（スライダ３５が嵌合開始位置側へ移動するときの移動方向前側の端縁部）には、ストッパ４４が形成されている。ストッパ４４の平面視形状は、スライダ３５の左端縁部の前端部から、左方へ略三角形状に突出した形態である。ストッパ４４には、レバー２２の係止部３３が当接可能となっている。
【００４０】
＜第２コネクタ５０＞
第２コネクタ５０は、合成樹脂製の第２ハウジング５１と、第２ハウジング５１に取り付けた複数の雄形の第２端子金具５５とを備えて構成されている。図１０に示すように、第２ハウジング５１は、壁状をなす端子保持部５２と、端子保持部５２の外周縁から後方へ突出した角筒状のフード部５３とを備えた単一部品である。
【００４１】
第２端子金具５５は略Ｌ字形に屈曲した形態であり、第２端子金具５５の前端側部分は回路基板（図示省略）に接続されている。第２端子金具５５の後端側部分は、端子保持部５２を貫通してフード部５３内に収容されている。フード部５３を構成する上下両壁部の外面には、夫々、左右方向に間隔を空けて並ぶ３つのカムフォロア５４が突出形成されている。
【００４２】
＜実施例の作用及び効果＞
第１コネクタ１０と第２コネクタ５０が離脱した状態では、スライダ３５が嵌合開始位置に仮保持され、レバー２２が初期位置に保持されている。スライダ３５が嵌合開始位置にある状態では、図６に示すように、スライダ３５のストッパ４４がレバー２２の係止部３３の後方（即ち、初期位置又は切換位置にあるレバー２２が嵌合位置側へ回動するときの、係止部３３の移動方向前方）で待ち受けている。したがって、レバー２２を嵌合位置側へ回動させようとしても、図７に示すように、係止部３３がストッパ４４に突き当たるので、レバー２２は、嵌合位置側への回動を規制された状態にロックされている。
【００４３】
レバー２２が初期位置にあり、スライダ３５が嵌合開始位置にある状態から、第１コネクタ１０と第２コネクタ５０を嵌合する際には、インナハウジング１４をフード部５３内に嵌入し、アウタハウジング１３をフード部５３に外嵌し、フード部５３を嵌合空間１５内に収容するようにして、第１ハウジング１１と第２ハウジング５１を浅く嵌合する。すると、図８に示すように、カムフォロア５４が、カム溝３６の入口に進入して入口側傾斜部３７を押圧するので、スライダ３５が嵌合開始位置からロック解除位置へ動かされる。
【００４４】
この間、第２駆動部２８が従動面４１に押されるので、係止凹部２９と係止突起１９のセミロック係止が解除され、レバー２２は初期位置から切換位置へ回動する。また、第１駆動部２７は、嵌合用受圧面４２から遠ざかりつつ離脱用受圧面４３に接近するように相対変位するが、スライダ３５には駆動力を付与しない。スライダ３５がロック解除位置へ移動すると、図８に示すように、係止部３３の後方で対向するように位置していたストッパ４４が、係止部３３の斜め右後方位置（係止部３３の回動軌跡から右方へ外れた位置）へ退避するので、レバー２２は嵌合位置側への回動を許容される。
【００４５】
スライダ３５がロック解除位置に移動した状態から、レバー２２を嵌合位置側へ回動させると、回動の初期では、第１駆動部２７は、離脱用受圧面４３から遠ざかりつつ嵌合用受圧面４２に接近していく。したがって、第１駆動部２７が嵌合用受圧面４２に当接するまでは、スライダ３５に駆動力を付与しない。尚、第２駆動部２８はスライダ３５から離間するので、スライダ３５に駆動力を付与しない。
【００４６】
第１駆動部２７が嵌合用受圧面４２に当接した後は、レバー２２の回動に伴って第１駆動部２７が嵌合用受圧面４２を右方へ押圧するので、スライダ３５が嵌合完了位置側へ移動する。スライダ３５の移動に伴って、カムフォロア５４とカム溝３６の倍力用傾斜部３８とが摺接するので、第１ハウジング１１が第２ハウジング５１側へ引き込まれ、両コネクタ１０，５０の嵌合動作が進む。
【００４７】
そして、図４に示すように、レバー２２が嵌合位置に到達すると、スライダ３５が嵌合完了位置に到達し、両ハウジング１１，５１（両コネクタ１０，５０）が嵌合状態となる。尚、レバー２２が切換位置から嵌合位置へ回動する過程では、第２駆動部２８は、従動部３９から右方へ離間していくのでスライダ３５に駆動力を付与しない。
【００４８】
嵌合状態の両ハウジング１１，５１を離脱する際には、嵌合位置のレバー２２を初期位置まで回動させる。レバー２２が切換位置に到達するまでの間は、第１駆動部２７が離脱用受圧面４３を右方へ押圧してスライダ３５に駆動力を付与するので、スライダ３５が嵌合完了位置からロック解除位置側へ移動する。スライダ３５の移動に伴い、カムフォロア５４と倍力用傾斜部３８との摺接により第１ハウジング１１が第２ハウジング５１から離間していく。
【００４９】
レバー２２が切換位置に至るまでの間、第２駆動部２８は、スライダ３５の従動部３９に対して右方から追いかけるように接近していくのであるが、スライダ３５に駆動力は付与しない。また、レバー２２の係止部３３は、左方へ移動するスライダ３５のストッパ４４に対しその斜め左後方から円弧を描きながら接近していく。しかし、スライダ３５がロック解除位置に至るまでの間、ストッパ４４は、係止部３３の回動規制から外れた領域のみを移動する。これにより、係止部３３がストッパ４４と干渉することはないので、レバー２２の回動動作がスライダ３５によって妨げられることはない。
【００５０】
そして、レバー２２が切換位置に到達すると、図５に示すように、スライダ３５がロック解除位置に到達すると同時に、第２駆動部２８が従動面４１に当接する。この時点で、両ハウジング１１，５１の嵌合動作は完了していない。レバー２２が切換位置にあり、スライダ３５がロック解除位置にある状態では、第２駆動部２８とレバー２２の回動軸２６とを結んだ仮想揺動線ＶＬが、仮想基準線ＶＳに対して略直角をなしている。仮想基準線ＶＳは、レバー２２の回動軸２６を通り且つスライダ３５の移動方向と平行をなす線である。したがって、レバー２２が切換位置の近傍領域で回動する過程では、第２駆動部２８の変位方向は、概ね左右方向（つまり、スライダ３５の移動方向と略平行な方向）となる。また、係止部３３の右端がストッパ４４の左端が、左右方向において隣接すると共に前後方向においても隣接する位置関係となる。
【００５１】
レバー２２が切換位置に到達した後も、レバー２２の回動操作はそのまま継続する。レバー２２が切換位置から初期位置まで回動する過程では、第２駆動部２８が従動面４１を左方へ押圧してスライダ３５に駆動力を付与するので、スライダ３５がロック解除位置から初期位置へ移動する。この間、カムフォロア５４と倍力用傾斜部３８との摺接により、両ハウジング１１，５１が更に離間させられる。
【００５２】
レバー２２が切換位置から初期位置へ回動する間、第１駆動部２７は、嵌合用受圧面４２から離間して従動溝４０の内部を相対的に右方へ変位するが、離脱用受圧面４３には当接しないので、第１駆動部２７からスライダ３５に駆動力が付与されることはない。また、レバー２２が切換位置から初期位置に回動しスライダ３５がロック解除位置から嵌合開始位置へ移動する過程では、係止部３３がストッパ４４から遠ざかるように前方へ変位し、ストッパ４４は係止部３３に接近するように左方へ変位する。
【００５３】
そして、レバー２２が初期位置に到達し、スライダ３５が嵌合開始位置に到達すると、両ハウジング１１，５１の離脱が完了する。離脱完了状態では、図６に示すように、カムフォロア５４がカム溝３６の外部へ離脱し得るようなっている。また、ストッパ４４が、係止部３３に対しその後方から対向するように位置する。このときのストッパ４４の位置は、レバー２２を嵌合位置側（切換位置側）へ回動させたときの係止部３３の回動軌跡上の位置となる。
【００５４】
レバー２２が初期位置まで回動すると、レバー２２の係止凹部２９の底部３１と第１ハウジング１１の係止突起１９とがセミロック状態で係止するので、レバー２２が初期位置に保持される。また、初期位置のレバー２２に外力が作用し、レバー２２が嵌合位置側へ回動した場合は、図７に示すように、レバー２２が切換位置に到達したところで、係止部３３がストッパ４４に突き当たって係止状態となるので、レバー２２は嵌合位置側への回動を規制される。
【００５５】
尚、レバー２２が切換位置に到達すると、第１駆動部２７が嵌合用受圧面４２に当接するのであるが、レバー２２は回動規制状態にロックされているので、第１駆動部２７はスライダ３５に駆動力を付与しない。また、スライダ３５と第１ハウジング１１には、互いに係止することでスライダ３５を嵌合開始位置に留め置くセミロックの仮保持手段（図示省略）が設けられている。したがって、スライダ３５は確実に嵌合開始位置に保持され、カム溝３６の入口はカムフォロア５４の進入を許容する位置に仮保持される。尚、レバー２２が初期位置から切換位置まで回動する過程では、第２駆動部２８は、従動面４１から離間していくので、スライダ３５に駆動力を付与しない。
【００５６】
本実施例１のレバー式コネクタは、第１ハウジング１１と第２ハウジング５１の嵌合作業の円滑化を実現するものであり、レバー２２とスライダ３５とを備えている。レバー２２は、第１ハウジング１１に取り付けられ、初期位置と嵌合位置との間で回動可能である。スライダ３５は、第１ハウジング１１に取り付けられ、嵌合開始位置と嵌合完了位置との間で平行移動可能である。スライダ３５にはカム溝３６が形成されている。スライダ３５が嵌合開始位置にある状態では、第２ハウジング５１のカムフォロア５４がカム溝３６の入口に進入することが許容される。スライダ３５が嵌合開始位置から嵌合完了位置へ移動する過程では、カムフォロア５４がカム溝３６に摺接することで、第１ハウジング１１と第２ハウジング５１が嵌合する。
【００５７】
レバー２２には、第１駆動部２７と第２駆動部２８が形成されている。レバー２２が嵌合位置から初期位置より手前の切換位置まで回動する過程では、第１駆動部２７は、スライダ３５を嵌合完了位置から嵌合開始位置より手前のロック解除位置へ平行移動させる。レバー２２が切換位置から初期位置へ回動する過程では、第２駆動部２８がスライダ３５をロック解除位置から嵌合開始位置まで押し動かす。
【００５８】
また、スライダ３５が嵌合開始位置にある状態では、レバー２２が初期位置から切換位置へ回動するのに伴い、第２駆動部２８はスライダ３５から離間していく。さらに、レバー２２には係止部３３が形成されている。スライダ３５が嵌合開始位置にあり且つレバー２２が切換位置にある状態では、係止部３３がスライダ３５に係止することにより、レバー２２が嵌合位置側へ回動することを規制される。
【００５９】
嵌合状態の第１ハウジング１１と第２ハウジング５１を離脱する際には、レバー２２を嵌合位置から初期位置へ回動させる。この間、レバー２２が切換位置に達するまでは、第１駆動部２７がスライダ３５を嵌合完了位置からロック解除位置まで移動させ、スライダ３５がロック解除位置に到達した後は、レバー２２の回動にともなって第２駆動部２８がスライダ３５を嵌合開始位置まで移動させる。つまり、切換位置においてスライダ３５を嵌合開始位置側へ移動させるための駆動手段が、第１駆動部２７から第２駆動部２８に切り換えられる。
【００６０】
スライダ３５が嵌合開始位置へ移動した後、初期位置のレバー２２を切換位置まで戻すと、第２駆動部２８がスライダ３５から離間していくので、スライダ３５は嵌合開始位置に留まる。レバー２２が切換位置に戻ると、係止部３３がスライダ３５に係止するので、レバー２２は嵌合位置側への回動を規制される。レバー２２の回動が規制されると、スライダ３５は移動せずに嵌合開始位置に留まったままとなるので、カム溝３６は第２ハウジング５１のカムフォロア５４の進入を許容する位置で待機する。したがって、本実施例のレバー式コネクタによれば、第１ハウジング１１と第２ハウジング５１を嵌合する際の作業を円滑に行うことができる。
【００６１】
また、スライダ３５の移動方向が、第１ハウジング１１と第２ハウジング５１の嵌合・離脱方向に対して略直交しており、カム溝３６は、入口側傾斜部３７を有している。第１ハウジング１１と第２ハウジング５１との嵌合を開始してカムフォロア５４がカム溝３６に進入する過程では、カムフォロア５４の押圧力が入口側傾斜部３７に付与され、この押圧力によりスライダ３５が嵌合開始位置からロック解除位置側へ移動する。この構成によれば、カム溝３６にカムフォロア５４を進入させるだけで、スライダ３５がロック解除位置へ移動してレバー２２が回動可能な状態となる。したがって、カム溝３６にカムフォロア５４を進入させる前にスライダ３５をロック解除位置へ戻す作業が不要である。
【００６２】
また、カム溝３６には、倍力用傾斜部３８が形成されている。レバー２２が切換位置と嵌合位置との間で回動する過程では、カムフォロア５４が倍力用傾斜部３８と摺接するようになっている。前後方向（第１ハウジング１１と第２ハウジング５１の嵌合・離脱方向）に対する入口側傾斜部３７の傾斜角度は、前後方向に対する倍力用傾斜部３８の傾斜角度よりも小さく設定されている。
【００６３】
倍力用傾斜部３８はスライダ３５側からカムフォロア５４側へ大きな力を付与する領域なので、両ハウジング１１，５１の嵌合・離脱方向に対する傾斜角度が大きいほど倍力機能が向上する。一方の入口側傾斜部３７は、カムフォロア５４側からカム溝３６側へ押圧力を付与する領域なので、両ハウジング１１，５１の嵌合・離脱方向に対する傾斜角度が小さいほど、スライダ３５への押圧力を高めることができる。
【００６４】
また、スライダ３５には、レバー２２が嵌合位置から切換位置へ回動する過程で第１駆動部２７に押される離脱用受圧面４３と、レバー２２が切換位置から嵌合位置へ回動する過程で第１駆動部２７に押される嵌合用受圧面４２とが形成されている。離脱用受圧面４３と嵌合用受圧面４２との間では、第１駆動部２７が左右方向（スライダ３５の移動方向と平行な方向）に変位することが可能となっている。この構成によれば、スライダ３５が嵌合開始位置にある状態でレバー２２が初期位置から切換位置へ回動する過程では、第１駆動部２７はスライダ３５に駆動力を付与しないので、スライダ３５を嵌合開始位置に留めておくことができる。
【００６５】
また、レバー２２には、過度変位規制部３４が形成されている。嵌合開始位置にあるスライダ３５が嵌合完了位置とは反対の左側へ移動しようとしても、スライダ３５が過度変位規制部３４に突き当たるので、スライダ３５が嵌合完了位置とは反対側へ移動することはない。したがって、第１ハウジング１１と第２ハウジング５１を離脱する作業の際に、レバー２２が過度に回動することと、スライダ３５が過度に移動することを防止できる。
【００６６】
また、第２駆動部２８とレバー２２の回動中心である回動軸２６との距離は、第１駆動部２７と回動軸２６との間の距離より長く設定されている。この構成によれば、レバー２２を切換位置から初期位置へ回動する過程で、その回動角度が小さくても、スライダ３５の移動寸法を大きく確保できる。
【００６７】
また、本実施例１では、レバー２２の回動中心である回動軸２６と第２駆動部２８とを結んだ線を仮想揺動線ＶＬと規定し、回動軸２６を通り且つスライダ３５の移動方向と平行な線を仮想基準線ＶＳと規定している。そして、第２駆動部２８がスライダ３５をロック解除位置から嵌合開始位置へ押し動かす過程（レバー２２が切換位置から初期位置へ回動する過程）では、仮想基準線ＶＳに対する仮想揺動線ＶＬの傾斜角度が４５°より大きくなる範囲に限定している。
【００６８】
具体的には、レバー２２が嵌合位置から切換位置まで回動して第２駆動部２８がスライダ３５に当接した状態では、第２駆動部２８と回動軸２６とを結んだ仮想揺動線ＶＬが、仮想基準線ＶＳ（スライダ３５の移動方向と平行な方向）に対して略直角をなしている。また、レバー２２が切換位置から初期位置へ回動して第２駆動部２８がスライダ３５を嵌合開始位置まで押し動かした状態でも、仮想揺動線ＶＬが仮想基準線ＶＳに対して概ね直角に近い角度をなしている。
【００６９】
もし、第２駆動部２８がスライダ３５をロック解除位置から嵌合開始位置へ押し動かす過程で、仮想基準線ＶＳに対する仮想揺動線ＶＬの傾斜角度が４５°より小さい場合は、第２駆動部２８がスライダ３５の移動方向と平行に移動する距離は、第２駆動部２８がスライダ３５の移動方向と直角に移動する距離より小さくなる。そのため、レバー２２の回動角度が大きくても、スライダ３５が移動する距離が比較的小さくなる。
【００７０】
これに対し本実施例１では、第２駆動部２８がスライダ３５をロック解除位置から嵌合開始位置へ押し動かす過程で、仮想基準線ＶＳに対する仮想揺動線ＶＬの傾斜角度を４５°より大きくしている。仮想基準線ＶＳに対する仮想揺動線ＶＬの傾斜角度が４５°より大きい範囲で第２駆動部２８を回動させれば、第２駆動部２８がスライダ３５の移動方向（仮想基準線ＶＳ）と平行に移動する距離は、第２駆動部２８がスライダ３５の移動方向と直角に移動する距離より大きくなる。したがって、レバー２２を切換位置から初期位置へ回動させるときの第２駆動部２８の回動角度が小さくても、スライダ３５の移動寸法を大きく確保することができる。
【００７１】
また、レバー２２には、レバー２２の回動方向に対し斜めをなして鈍角状に連なる２つの緩斜面３０によって構成された係止凹部２９が形成されている。一方、第１ハウジング１１には、レバー２２が初期位置にある状態で係止凹部２９の底部３１に係止する係止突起１９が形成されている。
【００７２】
この構成によれば、係止突起１９と係止凹部２９との係止により、レバー２２を初期位置に保持することができる。係止凹部２９は鈍角状に連なる２つの緩斜面３０で構成されているので、係止凹部２９と係止突起１９との係止はセミロック形態である。したがって、レバー２２を初期位置から嵌合位置側へ回動させる際の作業性が良い。
【００７３】
＜他の実施例＞
本発明は上記記述及び図面によって説明した実施例に限定されるものではなく、例えば次のような実施例も本発明の技術的範囲に含まれる。
（１）上記実施例では、カム溝の入口にカムフォロアを進入させるだけで、スライダが嵌合開始位置からロック解除位置へ移動してレバーが回動可能な状態となるが、カム溝にカムフォロアを進入させる前に、スライダをロック解除位置へ戻すようにしてもよい。
（２）上記実施例では、第１ハウジングと第２ハウジングの嵌合・離脱方向に対する傾斜角度は、入口側傾斜部よりも倍力用傾斜部の方が大きいが、この傾斜角度は、入口側傾斜部と倍力用傾斜部とで同じ角度としてもよい。
（３）上記実施例では、回動軸と第２駆動部との距離を、回動軸と第１駆動部との距離よりも長く設定したが、回動軸と第２駆動部との距離は、回動軸と第１駆動部との距離より短くてもよく、回動軸と第１駆動部との距離と同じ寸法であってもよい。
（４）上記実施例では、レバーが嵌合位置から切換位置まで回動して第２駆動部がスライダに当接した状態では、第２駆動部とレバーの回動軸とを結んだ仮想揺動線が、スライダの移動方向と略直角をなしているが、その仮想揺動線は、スライダの移動方向に対して比較的大きな角度をなす方向であってもよい。
（５）上記実施例では、レバーの回動軸と第２駆動部とを結んだ線を仮想揺動線と規定し、回動軸を通り且つスライダの移動方向と平行な線を仮想基準線と規定した上で、第２駆動部がスライダを押し動かす過程では仮想基準線に対する仮想揺動線の傾斜角度が４５°より大きくなる範囲に限定したが、これに限らず、第２駆動部がスライダを押し動かす過程では仮想基準線に対する仮想揺動線の傾斜角度が４５°より小さい範囲を含むようにしてもよい。
【符号の説明】
【００７４】
１１…第１ハウジング
１９…係止突起
２２…レバー
２６…回動軸
２７…第１駆動部
２８…第２駆動部
２９…係止凹部
３０…緩斜面
３１…係止凹部の底部
３３…係止部
３４…過度変位規制部
３５…スライダ
３６…カム溝
３７…入口側傾斜部
３８…倍力用傾斜部
４２…嵌合用受圧面
４３…離脱用受圧面
５１…第２ハウジング
５４…カムフォロア
ＶＬ…仮想揺動線
ＶＳ…仮想基準線
【図１】
2018195400.tif 000003
【図２】
2018195400.tif 000004
【図３】
2018195400.tif 000005
【図４】
2018195400.tif 000006
【図５】
2018195400.tif 000007
【図６】
2018195400.tif 000008
【図７】
2018195400.tif 000009
【図８】
2018195400.tif 000010
【図９】
2018195400.tif 000011
【図１０】
2018195400.tif 000012
【図１１】
2018195400.tif 000013
【図１２】
2018195400.tif 000014
【図１３】
2018195400.tif 000015
【図１４】
2018195400.tif 000016
【図１５】
2018195400.tif 000017
【図１６】
2018195400.tif 000018
【図１７】
2018195400.tif 000019
【図１８】
2018195400.tif 000020